(57)【要約】【課題】ラインの長手方向に対して略直交した姿勢で当該ラインに確実に固定される釣針の提供。【解決手段】この釣針２０は、主としてワーム（ルアー）が装着されるものであり、ダウンショットリグに採用される。釣針２０は、本体２１と、オフセット部２２と、連結部２３とを有し、これらは、一体的に形成されている。連結部２３は、オフセット部２２に略直交するように連続している。連結部２３は、真直部２８を備え、この真直部２８の長さｃは、１．５ｍｍ〜２．５ｍｍに設定される。この真直部２８は、ラインＬに沿って配置され、ラインＬが巻回されることによって、ラインＬに固定される。【選択図】図１
2008079620.tif 000002
【特許請求の範囲】
【請求項１】
軸部及び軸部に連続する懐部を有する釣針本体と、
釣針本体の軸部側端部に当該軸部の軸方向に沿って連続し、クランク状に形成されたオフセット部と、
オフセット部に略直交する方向に連続し、ラインの長手方向に沿って配置された状態で当該ラインに連結される真直棒状に形成された真直部を有する連結部とを備えた釣針。
【請求項２】
上記真直部は、１．０ｍｍ〜５．０ｍｍの長さに設定されている請求項１に記載の釣針。
【請求項３】
上記請求項１又は２に記載の釣針と、
上記連結部の外径寸法よりも小さい内径寸法に形成された可撓性材料からなる管状部材とを備えた釣針セット。
【請求項４】
上記連結部の端部は、当該連結部が上記管状部材に挿通された状態で当該管状部材の端面に当接する当接部を備えている請求項３に記載の釣針セット。
【発明の詳細な説明】
【技術分野】
【０００１】
この発明は、ルアー（主として「ワーム」と称されるルアー）が装着される釣針の構造及びこの釣針を含む釣針セットに関するものである。
【背景技術】
【０００２】
図６は、従来のルアー用の釣針の正面図であり、図７は、平面図である。
この釣針１は、主として、ワームと称される非常に可撓性に富んだルアーが装着される釣針である。この釣針１は、基部２と、軸部３と、これらを連続させるオフセット部４と、軸部３に連続する懐部５とを有して構成されている。基部２の端部６は、図７が示すように、円環状に形成されている。釣糸（一般に、「ライン」と称される。）は、この端部６に連結されるようになっており、この端部６は、特に「アイ」と称される。
ワームは、この釣針１が突き刺されることによって、当該釣針に装着固定されるようになっており、従来のルアー用の釣針は、ワームを確実に装着固定するいため等を目的として、種々の改良がなされている（例えば、特許文献１、特許文献２参照）。
【０００３】
図８は、釣針１が使用されたダウンショットリグ７を模式的に示している。
同図が示すように、このダウンショットリグ７では、ライン８の下端部にシンカー９が装着されており、ライン８の中間位置（シンカー９の上方）において上記釣針１が連結されている。釣針１には、ワーム１０が係止されている。
釣人は、このダウンショットリグ７を水中で操作することにより、ワーム１０は、実際に泳いでいるように演出される。
【０００４】
【特許文献１】特開２００１−２２４２８０号公報
【特許文献２】特開２０００−３２８７５号公報
【発明の開示】
【発明が解決しようとする課題】
【０００５】
ところで、釣針１は、その端部６にライン８が連結されることによって当該ライン８に取り付けられるのであるが、この端部６が円環状に形成されていることから、ライン８が端部６に強固に結びつけられた場合であっても、釣針１は、ライン８に確実に固定されず、図８が示すように、ライン８に対して回動し、下方へ角度θだけ傾斜してしまう傾向にある。
【０００６】
ダウンショットリグ７が採用される場合には、釣針１の姿勢（すなわち、ワーム１０の姿勢）は、可及的水平に保たれることが要請される。つまり、釣針１の上記傾斜角度θの絶対値は、小さいほど好ましい。
そこで、本発明の目的は、釣糸の長手方向に対して略直交した姿勢で当該釣糸に確実に固定され得る釣針及び釣針セットを提供することである。
【課題を解決するための手段】
【０００７】
(1) 上記目的が達成されるため、本願に係る釣針は、軸部及び軸部に連続する懐部を有する釣針本体と、釣針本体の軸部側端部に当該軸部の軸方向に沿って連続し、クランク状に形成されたオフセット部と、オフセット部に略直交する方向に連続し、ラインの長手方向に沿って配置された状態で当該ラインに連結される真直棒状に形成された真直部を有する連結部とを備えたことを特徴とするものである。
【０００８】
この釣針は、主としてワームと称されるルアーに適用される。
この構成によれば、連結部は、ラインの長手方向に沿って配置される。連結部は、真直棒状に形成された真直部を有するから、例えば所定長さに切断された他の釣糸によって、真直部の軸方向に沿って当該連結部とラインとが強固に結び付けられる。これにより、連結部のラインの長手方向に対する角度が変化することはない。
なお、連結部がラインに結び付けられる方法は、既知の様々な方法が採用され得る。例えば、当該ライン自体が連結部に結び付けられるようなノットが採用されてもよいことは勿論である。
【０００９】
この連結部には、オフセット部が連続され、さらにオフセット部には釣針本体が連続される。オフセット部は、連結部に対して略直交しているから、釣針本体は、連結部に対して略直交することになる。したがって、連結部が前述のようにラインに結び付けられると、オフセット部及び釣針本体は、ラインの長手方向に対して略直交した姿勢が保持される。
【００１０】
ワームは、その頭部から釣針本体の先端に突き刺され、懐部及び軸部を経てオフセット部にまで挿通される。そして、ワームの胴部に釣針本体の先端が突き刺されることにより、当該ワームは、オフセット部及び釣針本体の先端部分によって支持された状態で当該釣針に装着される。このとき、上記オフセット部が設けられているので、ワームの頭部と胴部とが略同一平面上に配置されることになり、ワームは、より自然な姿勢に保持される。
【００１１】
上記真直部は、１．０ｍｍ〜５．０ｍｍの長さに設定されているのが好ましい。
真直部の長さがかかる寸法に設定されることにより、連結部のラインの長手方向に対する角度は、確実に保持される。
【００１２】
(2) また、上記目的が達成されるため、本願に係る釣針セットは、上記対針と、上記連結部の外径寸法よりも小さい内径寸法に形成された可撓性材料からなる管状部材とを備えたことを特徴とするものである。
【００１３】
この構成によれば、ラインが管状部材に挿通された状態で、上記連結部が管状部材の内側に嵌め込まれる。管状部材の内径寸法は、上記連結部の外径寸法よりも小さいから、当該連結部は管状部材の内側に圧入されることになる。これにより、管状部材に所定の緊迫力が発生し、この緊迫力によって、上記連結部は、ラインに固定され、且つ連結部のラインの長手方向に対する角度が変化することはない。
【００１４】
また、上記連結部の端部は、当該連結部が上記管状部材に挿通された状態で当該管状部材の端面に当接する当接部を備えているのが好ましい。
この構成では、連結部が管状部材に挿通された状態で当接部が管状部材の端面に当接するから、当該連結部が不用意に管状部材から抜けてしまうことがないという利点がある。
【発明の効果】
【００１５】
以上のように本発明によれば、真直棒状に形成された連結部がラインの長手方向に沿って配置された状態で当該ラインに結び付けられることにより、釣針本体がラインの長手方向に対して略直交する姿勢に保持される。したがって、ダウンショットリグが採用された場合に、釣針に装着されたルアー（ワーム）は、水中において略水平な姿勢に保持されるので、釣人は、簡単にワームがよりリアルな泳ぎをするように演出することができる。
【発明を実施するための最良の形態】
【００１６】
以下、適宜図面が参照されつつ、好ましい実施形態に基づいて本発明が詳細に説明される。
【００１７】
＜第１の実施形態＞
図１は、本発明の第１の実施形態に係る釣針の正面図である。
この釣針２０は、主としてワーム（ルアー）が装着されるようになっており、後に詳述されるが、ラインＬに対して略直交するように取り付けられるようになっている。
釣針２０は、本体２１（釣針本体）と、オフセット部２２と、連結部２３とを備えている。釣針２０は、例えば炭素鋼等からなる線状部材により構成されており、上記本体２１、オフセット部２２及び連結部２３は、同図が示すように、略同一平面上（図１の紙面上）で連続して一体的に形成されている。なお、上記本体２１、オフセット部２２及び連結部２３が略同一平面上で一体的に形成されるほかに、例えば、本体２１がその軸方向に沿って若干螺旋状に、つまり、いわゆる「ひねり」が形成されていてもよい。
【００１８】
本体２１は、軸部２４と、懐部２５とを備えている。軸部２４は、略真直に形成されており、懐部２５は、軸部２４に連続して湾曲形成されている。懐部２５の先端部は、いわゆるバーブ２６が形成されている。軸部２４の軸方向寸法、懐部２５の曲率半径等は、ターゲットとなる魚のサイズに応じて適宜設計変更され得る。
オフセット部２２は、図１が示すように、上記軸部２４に連続し、クランク状に（略Ｌ字状に）形成されている。このオフセット部２２が設けられることにより、本体２１は、連結部２３の位置（ラインＬに対する釣針２０の取付位置）に対して所定距離ａだけオフセットされる。つまり、図１において、本体２１は、ラインＬに対して所定距離ａだけ下方へ移動される。このオフセット部２２による作用効果については、後述される。
【００１９】
本実施形態に係る釣針２０の特徴とするところは、連結部２３の構造にある。
連結部２３は、図１が示すように、オフセット部２２の端部２７に略直交するように連続されている。
連結部２３は、真直棒状に形成された真直部２８と、真直部２８に連続され、真直部２８に対して鋭角的に折り曲げられた折曲部２９とを有する。本実施形態では、真直部２８の寸法ｃは、１．５ｍｍ〜２．５ｍｍの範囲で設定されるのが好ましい。ただし、この寸法は、１．０ｍｍ〜５．０ｍｍの範囲で適宜設定され得る。
なお、折曲部２９は、真直部２８に対して鋭角的でなく鈍角的に折り曲げられていてもよいし、また、折曲部２９が省略されてもよい。
【００２０】
図２は、釣針２０が使用されたダウンショットリグ３０を表す図であり、釣針２０がラインＬに取り付けられる要領を図示している。ダウンショットリグ３０は、次のようにして構成される。
ラインＬに釣針２０が結び付けられる。このとき、連結部２３の真直部２８がラインＬの長手方向に沿って配置され、ラインＬが例えばユニノット等の既知のノットにより真直部２８に結び付けられる。つまり、ラインＬ自体が真直部２８の軸方向に沿って螺旋状に巻回され、連結部２３に結び付けられる。これにより、釣針２０は、ラインＬに固定される。
【００２１】
このように、ラインＬが真直部２８の軸方向に沿って巻回されるので、真直部２８は、ラインＬに対して強固に結び付けられる。したがって、真直部２８は、確実にラインＬに沿わされ、連結部２３のラインＬの長手方向に対しする角度が変化することはない。つまり、釣針２０の本体２１は、ラインＬに対して、同図が示すように略直交するように配置され、且つこの姿勢が保持される。
【００２２】
上記ラインＬの端部は、図２が示すように垂下する。このラインＬの下端部３４にシンカー３５が取り付けられる。シンカー３５は、いわゆる中通しタイプのものが採用され得るが、シンカー３５にライン連結用のフックが設けられている場合は、ラインＬとシンカー３５との連結は、より容易なものとなる。
【００２３】
次に、ワーム３１は、その頭部３２から釣針２０の本体２１の先端に突き刺される。そして、ワーム３１は、懐部２５及び軸部２４を経てオフセット部２２にまで挿通される。さらに、ワーム３１の胴部３３に本体２１の先端が突き刺されることにより、ワーム３０は、オフセット部２２及び本体２１の先端部分によって支持された状態で釣針２０に装着される。
このとき、オフセット部２２によって、本体２１は、ラインＬに対して所定距離ａだけ下方へ移動されるので（図１参照）、ワーム３１の頭部３２と胴部３３とが略水平に（略同一平面上に）配置されることになる。したがって、当該ダウンショットリグ３０が水中に投入された場合には、ワーム３０は、より自然な姿勢に保持される。
【００２４】
このように構成されたダウンショットリグ３０が水中に投入されたときは、前述のように、釣針２０の本体２１がラインＬに対して略直交するように配置され、且つこの姿勢が保持される。したがって、ワーム３０は、水中において略水平な姿勢に保持され、釣人は、簡単にワーム３０がよりリアルな泳ぎをするように演出することができる。
【００２５】
＜第２の実施形態＞
次に、本発明の第２の実施形態について説明される。
図３は、本発明の第２の実施形態に係る釣針セット４０の構成を示す正面図である。
この釣針セット４０は、釣針４１と、固定用ゴム管４２（管状部材）とを備えている。本実施形態が上記第１の実施形態と異なるところは、この固定用ゴム管４２が備えられている点、及び釣針４１は、上記釣針２０と略同様の構成であるが、釣針４１の連結部４３は、単純に真直な棒状に形成されている点である。なお、釣針４１のその他の構成については、上記釣針２０と同様である。
【００２６】
固定用ゴム管４２は、例えばポリ塩化ビニル等により構成されており、可撓性に富む。固定用ゴム管４２は、同図が示すように単純な円柱状に形成されており、その内径寸法は、釣針４１の連結部４３の外径寸法よりも小さく設定されている。
具体的に本実施形態では、固定用ゴム管４２の内径寸法ｄ１は、０．２ｍｍに設定され、上記連結部４３の外径寸法ｄ２は、０．５ｍｍに設定されている。ただし、上記寸法ｄ１は、０．２ｍｍ〜１．０ｍｍの範囲で適宜設定され、上記寸法ｄ２は、０．２ｍｍ〜１．０ｍｍの範囲で適宜設定される。
【００２７】
本実施形態では、まず、ラインＬが固定用ゴム管４２に挿通され、釣針４１の連結部４２が固定用ゴム管４２の内側に嵌め込まれる。固定用ゴム管４２の内径寸法ｄ１は、連結部４３の外径寸法ｄ２よりも小さいから、この連結部４３は、固定用ゴム管４２の内側に圧入されることになる。これにより、固定用ゴム管４２に所定の緊迫力が発生し、この緊迫力によって、連結部４３は、ラインＬに固定され、且つ連結部４３のラインＬの長手方向に対する角度が変化することはない。
このように本実施形態に係る釣針セット４０では、釣針４１の本体２１がラインＬに対して略直交するように配置され、且つこの姿勢が保持されるので、釣針４１に装着されたワームは、水中において略水平な姿勢に保持され、釣人は、簡単にワームがよりリアルな泳ぎをするように演出することができる。
【００２８】
また、図４は、本実施形態の変形例に係る釣針４５の要部拡大正面図であり、図５は、図４におけるＶ−矢視図である。
この変形例に係る釣針４５が上記第２の実施形態に係る釣針４１と異なるところは、連結部４３の下端部に当接部４６が形成されている点である。なお、釣針４５のその他の構成については、上記釣針４１と同様である。
上記当接部４６は、図４が示すように、略三角形状に形成されており、その頂部４８が下方に位置する。本変形例では、この頂部４８は、略球面状に形成されている。また、この当接部４６の底面部４９は、連結部４３から横方向（連結部４３の径方向）に突出している。
なお、この当接部４６は、連結部４３の下端部が圧延されることにより形成されるが、当接部４６が別部材として構成され、連結部４３に固着されていてもよい。
【００２９】
この変形例に係る釣針４５では、上記実施形態と同様に、連結部４３が固定用ゴム管４２に圧入される。そして、連結部４３が固定用ゴム管４２に貫通した状態で、上記底面部４９が固定用ゴム管４２の底面に当接する。したがって、この当接部４６によって、連結部４３が固定用ゴム管４２から不用意に抜脱されることはなく、釣針４５は、ラインＬに確実に固定されるという利点がある。
しかも、本変形例では、当接部４６の頂部４８が球面状に形成されているから、連結部４３が固定用ゴム管４２に圧入される際に、固定用ゴム管４２が損傷を受けることがなく、連結部４３は、固定用ゴム管４２に容易に貫通される。
【００３０】
上記当接部４６は、本変形例では略三角形状に形成されているが、当接部４６の形状は、例えば球状等、他のさまざまな形状が採用され得る。要するに、当接部４６の外径寸法が上記固定用ゴム管４２の内径寸法よりも大きく、固定用ゴム管４２に貫通した連結部４３が不用意に固定用ゴム管４２から抜け出ることが防止される形状であればよい。
【図面の簡単な説明】
【００３１】
【図１】図１は、本発明の第１の実施形態に係る釣針の正面図である。
【図２】図２は、本発明の第１の実施形態に係る釣針が使用されたダウンショットリグを表す図である。
【図３】図３は、本発明の第２の実施形態に係る釣針セットの構成を示す正面図である。
【図４】図４は、本発明の第２の実施形態の変形例に係る釣針の要部拡大正面図である。
【図５】図５は、図４におけるＶ−矢視図である。
【図６】図６は、従来のルアー用の釣針の正面図である。
【図７】図７は、従来のルアー用の釣針の平面図である。
【図８】図８は、従来のルアー用の釣針が使用されたダウンショットリグ７模式的に示す図である。
【符号の説明】
【００３２】
Ｌ  ・・・ライン
２０・・・釣針
２１・・・本体
２２・・・オフセット部
２３・・・連結部
２４・・・軸部
２５・・・懐部
２７・・・端部
２８・・・真直部
２９・・・折曲部
３０・・・ダウンショットリグ
３１・・・ワーム
３４・・・下端部
３５・・・シンカー
４０・・・釣針セット
４１・・・釣針
４２・・・固定用ゴム管
４３・・・連結部
４５・・・釣針
４６・・・当接部
４８・・・頂部
４９・・・底面部
【図１】
2008079620.tif 000003
【図２】
2008079620.tif 000004
【図３】
2008079620.tif 000005
【図４】
2008079620.tif 000006
【図５】
2008079620.tif 000007
【図６】
2008079620.tif 000008
【図７】
2008079620.tif 000009
【図８】
2008079620.tif 000010
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
釣針及びラインを有し、
上記釣針が、
軸部及び軸部に連続する懐部を有する釣針本体と、
釣針本体の軸部側端部に当該軸部の軸方向に沿って連続し、クランク状に形成されたオフセット部と、
オフセット部に略直交する方向に連続し、上記ラインの長手方向に沿って配置された状態で当該ラインに連結されている真直棒状に形成された真直部を有する連結部とを備えた釣針セット。
【請求項２】
上記真直部は、１．０ｍｍ〜５．０ｍｍの長さに設定されている請求項１に記載の釣針セット。
【請求項３】
上記連結部の外径寸法よりも小さい内径寸法に形成された可撓性材料からなる管状部材を更に備えた請求項１又は２に記載の釣針セット。
【請求項４】
上記連結部の端部は、当該連結部が上記管状部材に挿通された状態で当該管状部材の端面に当接する当接部を備えている請求項３に記載の釣針セット。
【手続補正２】
【補正対象書類名】明細書
【補正対象項目名】０００７
【補正方法】変更
【補正の内容】
【０００７】
(1) 上記目的が達成されるため、本願に係る釣針セットは、釣針及びラインを有し、上記釣針が、軸部及び軸部に連続する懐部を有する釣針本体と、釣針本体の軸部側端部に当該軸部の軸方向に沿って連続し、クランク状に形成されたオフセット部と、オフセット部に略直交する方向に連続し、上記ラインの長手方向に沿って配置された状態で当該ラインに連結されている真直棒状に形成された真直部を有する連結部とを備えたことを特徴とするものである。
【手続補正３】
【補正対象書類名】明細書
【補正対象項目名】０００８
【補正方法】変更
【補正の内容】
【０００８】
この釣針セットは、主としてワームと称されるルアーに適用される。
この構成によれば、連結部は、ラインの長手方向に沿って配置される。連結部は、真直棒状に形成された真直部を有するから、例えば所定長さに切断された他の釣糸によって、真直部の軸方向に沿って当該連結部とラインとが強固に結び付けられる。これにより、連結部のラインの長手方向に対する角度が変化することはない。
なお、連結部がラインに結び付けられる方法は、既知の様々な方法が採用され得る。例えば、当該ライン自体が連結部に結び付けられるようなノットが採用されてもよいことは勿論である。
【手続補正４】
【補正対象書類名】明細書
【補正対象項目名】００１２
【補正方法】変更
【補正の内容】
【００１２】
(2) また、上記目的が達成されるため、上記釣針セットは、上記連結部の外径寸法よりも小さい内径寸法に形成された可撓性材料からなる管状部材を更に備えているのが好ましい。